(57)【要約】      （修正有）【課題】１つのストラップホルダーを備えているだけであるにもかかわらず、ストラップの連結箇所を筐体の右側と左側とから選択することを可能にする。ストラップホルダーに電源スイッチの切替え機能などを具備させてユーザにとっての使い勝手を向上させる。【解決手段】筐体１に２つの操作ボタン２１，２２を設けて右利きユーザでも左利きユーザでも操作ボタン２１，２２を違和感なく押し込めるようにする。２つの操作ボタン２１，２２に互いに異なるモードを選択する機能を割り当てる制御手段を有する。ストラップホルダーを、筐体１を貫通して配備したスライドレバー３によって構成し、その一端部と他端部とにストラップの連結部３５，３６を設ける。スライドレバー３が中立位置から左位置又は右位置にスライドしたことを検出して上記電源回路をオフからオンに切り替える電源スイッチＳなどを具備させる。【選択図】図２
2008079651.tif 000002
【特許請求の範囲】
【請求項１】
筐体に配備されてその筐体を把持した手の指で押し込まれる第１及び第２の２つの操作ボタンと、上記筐体に設けられてストラップが連結されるストラップホルダーと、電源回路と、を備え、
上記ストラップホルダーが、上記筐体の上部でその筐体を貫通して配備され、かつ、中立位置とその中立位置の片側の左位置とその中立位置の他側の右位置との相互間でスライド可能に取り付けられた横長のスライドレバーによって構成されていると共に、このスライドレバーの中立位置で上記筐体の左方に突き出る第１連結部及び上記筐体の右方に突き出る第１連結部が当該スライドレバーの両端部に各別に備わり、そのスライドレバーの上記第１連結部は、当該スライドレバーが中立位置から右位置にスライドしたときに筐体に収容され、かつ、そのスライドレバーの上記第２連結部は、当該スライドレバーが中立位置から左位置にスライドしたときに筐体に収容されるようになっており、
上記スライドレバーが上記中立位置から左位置又は右位置にスライドしたことを検出して上記電源回路をオフからオンに切り替える電源スイッチと、この電源回路のオン時に上記スライドレバーが左位置にあるか右位置にあるかを検出するレバー位置検出手段と、このレバー位置検出手段によって検出されたスライドレバーの位置に応じて第１又は第２の上記操作ボタンに互いに異なるモードを選択する機能を割り当てる制御手段と、上記スライドレバーが左位置又は右位置から中立位置にスライドして復帰したときに上記電源回路のオン時に蓄電した電荷を放電させるための放電手段とが、追加されていて、その放電手段が、上記スライドレバーに設けられた接片と、そのスライドレバーと共に移動する上記接片が離接する接点と、を備えていることを特徴とする携帯型電子機器。
【請求項２】
筐体に配備されてその筐体を把持した手の指で押し込まれる第１及び第２の２つの操作ボタンと、上記筐体に設けられてストラップが連結されるストラップホルダーと、電源回路と、を備え、
上記ストラップホルダーが、上記筐体に中立位置とその中立位置の片側の左位置とその中立位置の他側の右位置との相互間でスライド可能に取り付けられた横長のスライドレバーによって構成されていると共に、このスライドレバーの中立位置で上記筐体の左方に突き出る第１連結部及び上記筐体の右方に突き出る第１連結部が当該スライドレバーの両端部に各別に備わり、
上記スライドレバーが上記中立位置から左位置又は右位置にスライドしたことを検出して上記電源回路をオフからオンに切り替える電源スイッチと、この電源回路のオン時に上記スライドレバーが左位置にあるか右位置にあるかを検出するレバー位置検出手段と、このレバー位置検出手段によって検出されたスライドレバーの位置に応じて第１又は第２の上記操作ボタンに互いに異なるモードを選択する機能を割り当てる制御手段とが追加されていることを特徴とする携帯型電子機器。
【請求項３】
上記スライドレバーが左位置又は右位置から中立位置にスライドして復帰したときに、上記電源回路のオン時に蓄電した電荷を放電させるための放電手段が追加されている請求項２に記載した携帯型電子機器。
【請求項４】
上記スライドレバーが上記筐体の上部でその筐体を貫通して配備されていると共に、そのスライドレバーの上記第１連結部は、当該スライドレバーが中立位置から右位置にスライドしたときに筐体に収容され、かつ、そのスライドレバーの上記第２連結部は、当該スライドレバーが中立位置から左位置にスライドしたときに筐体に収容されるようになっている請求項２又は請求項３に記載した携帯型電子機器。
【発明の詳細な説明】
【技術分野】
【０００１】
本発明は、ユーザが右利きであっても左利きであってもモード選択ボタンを違和感なく操作することが可能であると共に、手提げ用などとして利用されるストラップの連結箇所を、筐体の左右の片側と他側とから任意に選択することのできる携帯型電子機器に関する。
【背景技術】
【０００２】
小型軽量なボイスレコーダなどの携帯型電子機器では、それを持ち歩いたりするときの落下事故を防ぐことなどのためにその筐体にストラップを連結しておき、そのストラップを手に持ったり腕に通したりして不慮の落下事故を防ぐことが多い。この種の携帯型電子機器において、筐体に設けられるストラップホルダーは、たとえば筐体の右側１箇所だけにビス止めなどの手段で容易に脱落しないように強固に取り付けられていて、ユーザはそのようなストラップホルダーの連結部にストラップを連結していた。
【０００３】
一方、ユーザが右利きであっても左利きであってもモード選択ボタンを違和感なく操作することを可能にするための技術として、筐体の左右対称な２箇所に操作ボタンをそれぞれ配備しておき、それらの操作ボタンの一方だけにモード選択ボタンとしての機能を付与することができるようにするものが提案されていた（たとえば、特許文献１，特許文献２，特許文献３参照）。そして、特許文献１には、モード選択ボタンの機能を付与されない他方の操作ボタンに、メニューをモニターに表示させるためのメニューボタンとしての機能を付与することが開示され、特許文献３には、印刷モードを設定するための機能を付与することが開示されている。
【特許文献１】特開２００４−７８０８０号公報
【特許文献２】特開２００４−３４０９９１号公報
【特許文献３】特開２００３−１５３０５２号公報
【発明の開示】
【発明が解決しようとする課題】
【０００４】
しかしながら、従来の携帯型電子機器のように、ストラップホルダーが筐体の右側１箇所だけに取り付けられているものでは、ユーザにとってはストラップを筐体の右側に連結せざるを得ないことになり、仮に筐体の左側にストラップを連結することが便利な場合でもそうすることができないという不便があった。たとえば、ボイスレコーダを木の枝などに吊り下げて小鳥の鳴き声を録音したりする場合に、筐体の左側にストラップが連結されていると集音マイクの向きやモニターの向きを一方向に特定することが容易であるけれども、筐体の右側にストラップが連結されているとそれらの向きを特定することが困難になることがある。
【０００５】
また、上掲の各特許文献に記載されているような右利き左利き両用の機器では、ユーザがその利き手に応じてストラップの連結箇所を携帯型電子機器の右側や左側に選択できるものであることが望まれる。
【０００６】
本発明は、以上の状況の下でなされたものであり、１つのストラップホルダーを備えているだけであるにもかかわらず、ストラップの連結箇所を筐体の右側と左側とから任意に選択することが可能になり、しかも、そのストラップホルダーに電源スイッチの切替え機能などを具備させてユーザにとっての使い勝手を向上させることのできる携帯型電子機器を提供することを目的とする。
【０００７】
これに加え、本発明は、ストラップホルダーの操作を通じて左右の操作ボタンの１つに特定のモードを選択し得る機能を付与する一方で、他の１つの操作ボタンに、他のモードを選択する機能を付与することが可能になる携帯型電子機器を提供することを目的とする。
【０００８】
さらに、本発明は、当該携帯型電子機器で発生した余剰電荷を除去する操作をユーザが任意に行うことのできる機能を付与することによって、取扱い時の安全性を高めることのできる携帯型電子機器を提供することを目的とする。
【課題を解決するための手段】
【０００９】
本発明に係る携帯型電子機器は、筐体に配備されてその筐体を把持した手の指で押し込まれる第１及び第２の２つの操作ボタンと、上記筐体に設けられてストラップが連結されるストラップホルダーと、電源回路と、を備えている。
【００１０】
そして、上記ストラップホルダーが、上記筐体に中立位置とその中立位置の片側の左位置とその中立位置の他側の右位置との相互間でスライド可能に取り付けられた横長のスライドレバーによって構成されていると共に、このスライドレバーの中立位置で上記筐体の左方に突き出る第１連結部及び上記筐体の右方に突き出る第１連結部が当該スライドレバーの両端部に各別に備わり、上記スライドレバーが上記中立位置から左位置又は右位置にスライドしたことを検出して上記電源回路をオフからオンに切り替える電源スイッチと、この電源回路のオン時に上記スライドレバーが左位置にあるか右位置にあるかを検出するレバー位置検出手段と、このレバー位置検出手段によって検出されたスライドレバーの位置に応じて第１又は第２の上記操作ボタンに互いに異なるモードを選択する機能を割り当てる制御手段とが追加されている。
【００１１】
この構成であると、ストラップホルダーを構成しているスライドレバーを中立位置に位置させて筐体の左方に突き出ている第１連結部及び右方に突き出ている第２連結部のうちの一方を選択し、そのように選択した連結部にストラップを連結することによって、ユーザ自身がストラップを筐体の左側に連結するか右側に連結するかを自由に選べるようになる。また、電源スイッチが上記スライドレバーの中立位置からの位置の変化に基づいて動作するようになっているので、電源スイッチ操作用のボタンを別途設ける必要がなくなってそれだけ必要部品点数が削減される。さらに、スライドレバーが左位置に位置しているか右位置に位置しているかに基づいて、第１又は第２の２つの操作ボタンに互いに異なるモードを選択する機能が割り当てられるので、右利きのユーザにとっても左利きのユーザにとっても、たとえば利き手で操作する操作ボタンに使用頻度の高いモードを割り当てて当該携帯型電子機器の使い勝手を高めることが可能になるという利点もある。
【００１２】
本発明では、上記スライドレバーが左位置又は右位置から中立位置にスライドして復帰したときに、上記電源回路のオン時に蓄電した電荷を放電させるための放電手段が追加されているという構成を採用することが可能である。この構成を採用すると、スライドレバーが中立位置に復帰させることによって電源回路のオフ時に蓄電した電荷が自然に放電されてしまうために、当該携帯型電子機器の取扱い上の安全性が向上するという利点がある。
【００１３】
本発明では、上記スライドレバーが上記筐体の上部でその筐体を貫通して配備されていると共に、そのスライドレバーの上記第１連結部は、当該スライドレバーが中立位置から右位置にスライドしたときに筐体に収容され、かつ、そのスライドレバーの上記第２連結部は、当該スライドレバーが中立位置から左位置にスライドしたときに筐体に収容されるようになっていることが望ましい。この構成であると、電源回路のオン時には、第１又は第２の連結部のうちの一方が筐体に収容されてしまうために、スライドレバーがモード選択ボタンの押込み操作のじゃまになるといった事態が生じにくくなって当該携帯型電子機器の使い勝手が向上する。また、スライドレバーを筐体の上部でその筐体を貫通して配備させてあることにより、筐体の外側にスライドレバーを配備する必要がなくなって、当該携帯型電子機器の外観デザインをすっきりとしたものに仕上げやすいという利点もある。
【００１４】
本発明に係る携帯型電子機器は、次の構成を採用することによっていっそう具体化される。すなわち、筐体に配備されてその筐体を把持した手の指で押し込まれる第１及び第２の２つの操作ボタンと、上記筐体に設けられてストラップが連結されるストラップホルダーと、電源回路と、を備え、上記ストラップホルダーが、上記筐体の上部でその筐体を貫通して配備され、かつ、中立位置とその中立位置の片側の左位置とその中立位置の他側の右位置との相互間でスライド可能に取り付けられた横長のスライドレバーによって構成されていると共に、このスライドレバーの中立位置で上記筐体の左方に突き出る第１連結部及び上記筐体の右方に突き出る第１連結部が当該スライドレバーの両端部に各別に備わり、そのスライドレバーの上記第１連結部は、当該スライドレバーが中立位置から右位置にスライドしたときに筐体に収容され、かつ、そのスライドレバーの上記第２連結部は、当該スライドレバーが中立位置から左位置にスライドしたときに筐体に収容されるようになっており、上記スライドレバーが上記中立位置から左位置又は右位置にスライドしたことを検出して上記電源回路をオフからオンに切り替える電源スイッチと、この電源回路のオン時に上記スライドレバーが左位置にあるか右位置にあるかを検出するレバー位置検出手段と、このレバー位置検出手段によって検出されたスライドレバーの位置に応じて第１又は第２の上記操作ボタンに互いに異なるモードを選択する機能を割り当てる制御手段と、上記スライドレバーが左位置又は右位置から中立位置にスライドして復帰したときに上記電源回路のオン時に蓄電した電荷を放電させるための放電手段とが、追加されていて、その放電手段が、上記スライドレバーに設けられた接片と、そのスライドレバーと共に移動する上記接片が離接する接点と、を備えている、という構成を採用することによっていっそう具体化される。この発明の作用は、後述する実施形態を参照して詳細に説明する。
【発明の効果】
【００１５】
以上のように、本発明によると、ユーザが右利きであるか左利きであるかに関係なく、ストラップの連結箇所をユーザにとって都合のよい筐体の右側又は左側に定めることができるようになるので、ユーザにとって携帯に便利で使い勝手のよい携帯型電子機器を提供することが可能になる。しかも、ストラップホルダーをスライドレバーによって構成し、そのスライドレバーのスライド動作に連動させて、電源スイッチを動作させたり、２つの操作ボタンによって選択される動作モードを選択させ得るように構成したので、電源スイッチの操作部材や動作モードを定めるための操作部材などを別途設ける必要がなくなって当該携帯型電子機器の外観デザインをすっきりとしたものに仕上げやすくなる。また、２つの操作ボタンのそれぞれの動作モードが、ストラップの連結箇所との関係で定まる構成を採用したことにより、右利きのユーザにとっても左利きのユーザにとっても使い勝手のよい携帯型電子機器を提供することができるようになる。
【発明を実施するための最良の形態】
【００１６】
図１は本発明の実施携帯に係る携帯型電子機器の一例であるボイスレコーダを例示した正面図、図２、図３及び図４は同携帯型電子機器の要部を一部破断して示した拡大正面図である。また、図５はストラップホルダーとしてのスライドレバー３の取付構造などを示した概略図、図６は位置決め機構４の説明図、図７は放電回路の構成図、図８は放電回路７１のオン状態説明図、図９及び図１０は放電回路７１のオフ状態説明図である。さらに、図１１〜図３はレバー位置検出手段８などを例示した説明図、図１４は動作手順を例示したブロック図である。
【００１７】
図１に例示したボイスレコーダとしての携帯型電子機器は、筐体１にストラップ１００が装備されているほか、第１操作ボタン２１及び第２操作ボタン２２、動作モードなどを表示させるためのモニター１４などを備えている。
【００１８】
図２〜図４のように、第１操作ボタン２１及び第２操作ボタン２２は筐体１の上部外面の左右対称位置に配備されていて、これらの操作ボタン２１，２２を選択的に操作することによって、録音、再生、モニター表示切替え、タイマー設定などの各種の動作モードが適宜切替えられる。また、筐体１には、ストラップホルダーとしての横長のスライドレバー３が取り付けられている。このスライドレバー３は、筐体１の左右に設けられた孔部１２，１３に挿通されていることによって、その筐体１の上部でその筐体１を貫通して配備されていると共に、図２に示した中立位置と、図３に示した中立位置の片側の左位置と、図４に示した中立位置の他側の右位置と、の３位置相互間でスライド可能である。そして、図５又は図６に示した位置決め機構４によってスライドレバー３が中立位置と左位置と右位置との３位置でそれぞれ位置決めされるようになっている。しかも、スライドレバー３は、中立位置に位置しているときに、図２のように左側の端部が筐体１の左方に突き出し、かつ、右側の端部が筐体１の右方に突き出す程度の長さを有している。そして、中立位置で筐体１の左方に突き出ている端部がストラップ第１連結部（第１連結部）３５とされ、右位置で筐体１の右方に突き出ている端部がストラップ第２連結部（第２連結部）３６とされている。また、このスライドレバー３は、左位置では第２連結部３６の全部が図３のように筐体１に収容され、右位置では第１連結部３５の全部が図４のように筐体１に収容される長さに定められている。
【００１９】
図６に拡大して示したように、位置決め機構４は、筐体１側に設けられた３つの横並びの谷形部４１，４２，４３と、スライドレバー３側に設けられた弾性梁部３１と、この弾性梁部３１に具備された１つの山形部３２とを備えている。そして、図示のように、山形部３２が中央の谷形部４１に嵌り込むことによってスライドレバー３が中立位置に位置決めされる。これに対し、スライドレバー３が中立位置から左方にスライドされると、山形部３２が弾性梁部３１を撓ませながら中央の谷形部４１から抜け出して左側の谷形部４２に嵌り込み、スライドレバー３が中立位置から右方にスライドされると、山形部３２が弾性梁部３１を撓ませながら中央の谷形部４１から抜け出して右側の谷形部４３に嵌り込む。そして、山形部３２が左側の谷形部４２に嵌り込むことによってスライドレバー３が左位置に位置決めされ、山形部３２が右側の谷形部４３に嵌り込むことによってスライドレバー３が右位置に位置決めされる。しかも、スライドレバー３の両端部近傍箇所にはそれぞれ鍔形のストッパ３３，３４が備わっていて、スライドレバー３が左位置に位置しているときには、左側のストッパ３３が図３のように筐体１の左側の側壁内面に当接し、スライドレバー３が右位置に位置しているときには、右側のストッパ３４が図４のように筐体１の右側の側壁内面に当接するようになっていて、この作用によってスライドレバー３の左位置及び右位置での位置決めが確実に行われる。また、スライドレバー３のスライド動作が、図５に示した２箇所のガイド機構５によって左右方向に案内されるようになっている。これらのガイド機構５は、筐体１側に設けられたガイドピン５１を、スライドレバー３側に設けられている水平長孔状のガイド孔５２にスライド自在に嵌め込んでなる。
【００２０】
図５のように、スライドレバー３の上側に、動作モード選択回路を備える細長い配線基板６が水平に配備されていて、その配線基板６には図７に示した放電回路７１が形成されている。また、配線基板６とスライドレバー３とには、図示していない電源回路のオン状態とオフ状態とを切り替える電源スイッチＳと、スライドレバー３が中立位置から左に動いたか右に動いたかを検出するためのレバー位置検出手段８が配備されている。
【００２１】
図１１〜図１３に例示したように、電源スイッチＳは、配線基板６とスライドレバー３とにそれぞれ搭載されている一対のスイッチ要素Ｓ１，Ｓ２でなり、スライドレバー３が中立位置に位置しているときには、図１１のように一対のスイッチ要素Ｓ１，Ｓ２が近接位置で対峙して上記電源回路がオフ状態に保持されるのに対し、スライドレバー３が左位置や右位置に位置しているときには、図１２又は図１３のように、一対のスイッチ要素Ｓ１，Ｓ２が左又は右に位置ずれして離間することにより上記電源回路がオン状態に保持される。また、レバー位置検出手段８は、スライドレバー３に搭載された可動要素８１と、配線基板６に互いに離れて搭載された２つの固定要素８２，８３とを備えていて、図１１のように可動要素８１が２つの固定要素８２，８３の中間に位置している状態では、スライドレバー３が中立位置に位置していることを検出し、図１２のように可動要素８１が左側の固定要素８２に近接して対峙することによってスライドレバー３が左位置に位置していることを検出し、図１３のように可動要素８１が右側の固定要素８３に近接して対峙することによってスライドレバー３が右位置に位置していることを検出する。ここで、上記したスイッチ要素Ｓ１，Ｓ２、可動要素８１、固定要素８２，８３には、磁力を利用した近接スイッチ、光学スイッチ、リミットスイッチなどを用いることが可能である。
【００２２】
この実施形態の携帯型電子機器には、上記したレバー位置検出手段８によって検出されたスライドレバー３の位置に応じて第１又は第２の上記操作ボタン２１，２２に互いに異なるモードを選択する機能を割り当てる制御手段（不図示）と、上記電源回路がオンからオフに切り替わったときに蓄積されている電荷を放電させるための放電手段７とを備えている。
【００２３】
このうち、制御手段にはマイコンが用いられる。また、放電手段７は、図７の放電回路７１と、スライドレバー３に取り付けられて上記放電回路７１の常開接点７２，７３を開閉する接片７５（図５参照）とを備えている。そして、スライドレバー３が中立位置に位置しているときには、図８のように接片７５が放電回路７１の常開接点７２，７３に接触してその放電回路７１をオン動作させる一方、スライドレバー３が左位置に位置しているときや右位置に位置しているときには、図９又は図１０のように接片７５が常開接点７２，７３から離れて放電回路７１をオフ動作させる。なお、放電回路７１には、コンデンサーに接続された電極７４が備わっている。また、上記制御手段は、レバー位置検出手段８によって検出されたスライドレバー３の位置に応じて第１又は第２の上記操作ボタンに互いに異なるモードを選択する機能を割り当てる作用を発揮するように構成されていて、この実施形態では、右側の操作ボタン２１に録音開始モードを選択する機能が割り当てられたときには、左側の操作ボタン２２に録音レベル切替えモードを選択する機能が割り当てられ、左側の操作ボタン２２に録音開始モードを選択する機能が割り当てられたときには、右側の操作ボタン２１に録音レベル切替えモードを選択する機能が割り当てられるようになっている。また、録音レベル切替えモードでは、図２〜図４に示したモニター１４に録音レベルの選択に役立つ表示がなされる。
【００２４】
以上のように構成されている携帯型電子機器において、右利きのユーザにとって、図２のようにスライドレバー３の第１連結部３５にストラップ１００を連結した場合には、たとえば、右側の操作ボタン２１に録音開始モード選択ボタンとしての機能が割り当てられる。この場合の動作手順を図１４を参照して説明する。
【００２５】
スライドレバー３が中立位置から左位置にスライドされると、図１２のように電源スイッチＳの一対のスイッチ要素Ｓ１，Ｓ２が位置ずれして離間することにより電源回路がオン状態に保持される（ステップＳ１，Ｓ２）。また、図１２のようにレバー位置検出手段８の可動要素８１が左側の固定要素８２に対峙することにより、スライドレバー３が左に動いたことが検出され（ステップＳ３）、さらに制御手段によって右側の操作ボタン２１に録音開始モード選択ボタンとしての機能が割り当てられ、左側の操作ボタン２２に録音レベル切替えモード選択ボタンとしての機能が割り当てられる（ステップＳ４）。したがって、ユーザは、筐体１を掴んだ右手の指で右側の操作ボタン２１を押し込んで録音を開始することができる。
【００２６】
これに対し、左利きのユーザにとって、図４のようにスライドレバー３の第２連結部３６にストラップ１００を連結した場合には、たとえば、上記制御手段によって左側の操作ボタン２２に録音開始モード選択ボタンとしての機能が割り当てられる。この場合の動作手順を図１４を参照して説明する。スライドレバー３が中立位置から右位置にスライドされると、図１３のように電源スイッチＳの一対のスイッチ要素Ｓ１，Ｓ２が位置ずれして離間することにより電源回路がオン状態に保持される（ステップＳ１，Ｓ２）。また、図１３のようにレバー位置検出手段８の可動要素８１が右側の固定要素８３に対峙することにより、スライドレバー３が右に動いたことが検出され（ステップＳ３）、さらに制御手段によって左側の操作ボタン２１に録音開始モード選択ボタンとしての機能が割り当てられ、右側の操作ボタン２１に録音レベル切替えモード選択ボタンとしての機能が割り当てられる（ステップＳ４）。したがって、ユーザは、筐体１を掴んだ左手の指で左側の操作ボタン２２を押し込んで録音を開始することができる。
【００２７】
また、右利きのユーザにとっても左利きのユーザにとっても、スライドレバー３を中立位置から左又は右にスライドさせたときには、図９又は図１０のように放電回路７１の常開接点７２，７３から接片７５が離れて配線基板６に余剰の電荷が蓄えられることになる。しかしながら、スライドレバー３を中立位置に復帰させたときには、図８のように放電回路７１の常開接点７２，７３に接片７５が接触して余剰の電荷が放電される。そのため、当該携帯型電子機器の使用によって蓄積された余剰の電荷に起因してユーザが感電したり配線基板６に搭載されている電気電子部品が損傷を受けるといったおそれがなくなる。
【図面の簡単な説明】
【００２８】
【図１】本発明の実施携帯に係る携帯型電子機器の一例であるボイスレコーダを例示した正面図である。
【図２】本発明の実施形態に係る携帯型電子機器の要部を一部破断して示した一態様の拡大正面図である。
【図３】同携帯型電子機器の要部を一部破断して示した他の態様の拡大正面図である。
【図４】同携帯型電子機器の要部を一部破断して示したさらに他の態様の拡大正面図である。
【図５】ストラップホルダーとしてのスライドレバーの取付構造などを示した概略図である。
【図６】位置決め機構の説明図である。
【図７】放電回路の構成図である。
【図８】放電回路のオン状態説明図である。
【図９】放電回路のオフ状態説明図である。
【図１０】放電回路のオフ状態説明図である。
【図１１】レバー位置検出手段などを例示した説明図である。
【図１２】レバー位置検出手段などの他の状態を例示した説明図である。
【図１３】レバー位置検出手段などのさらに他の状態を例示した説明図である。
【図１４】動作手順を例示したブロック図である。
【符号の説明】
【００２９】
１  筐体
３  スライドレバー（ストラップホルダー）
８  レバー位置検出手段
２１  第１操作ボタン
２２  第２操作ボタン
３５  第１連結部
３６  第２連結部
７２，７３  常開接点（接点）
７５  接片
１００  ストラップ
Ｓ  電源スイッチ
【図１】
2008079651.tif 000003
【図２】
2008079651.tif 000004
【図３】
2008079651.tif 000005
【図４】
2008079651.tif 000006
【図５】
2008079651.tif 000007
【図６】
2008079651.tif 000008
【図７】
2008079651.tif 000009
【図８】
2008079651.tif 000010
【図９】
2008079651.tif 000011
【図１０】
2008079651.tif 000012
【図１１】
2008079651.tif 000013
【図１２】
2008079651.tif 000014
【図１３】
2008079651.tif 000015
【図１４】
2008079651.tif 000016